(57)【要約】【課題】サイドカバーの係合部又はネジ固定部を形成する樹脂等が油等によってクレージング破壊を起こし、爪部の係合が外れる等しても、サイドカバーの落下を防止することができる空気調和機を得る。【解決手段】紐３の他端は、金属によって形成された環状のスナップフックである引掛け部３ａに結び付けられており、この引掛け部３ａを、サイドパネル２の紐引掛け用穴２ａに挿通させて引掛ける。【選択図】図５
2011247474.tif 000002
【特許請求の範囲】
【請求項１】
本体と、
該本体の両側面を覆うサイドカバーと、
前記本体と前記サイドカバーを接続する紐と、
を備え、
前記本体及び前記サイドカバーは、互いに係合爪を有することによって互いに係合されること、又は、互いにネジ止め部を有することによって互いにネジ止めされることのうち、少なくとも一方の方法によって固定された
ことを特徴とする空気調和機。
【請求項２】
前記紐は、その一端が前記本体の側面の水平方向の中央部近傍に取り付けられた
ことを特徴とする請求項１記載の空気調和機。
【請求項３】
前記紐は、その一端が前記本体の下面寄りに取り付けられた
ことを特徴とする請求項１又は請求項２記載の空気調和機。
【請求項４】
前記紐の前記本体側への取り付け端は、金属製のフックであり、
前記本体は、紐引掛け用穴を有し、
前記フックが、前記紐引掛け用穴に引掛けられることによって、前記本体と前記サイドカバーが接続された
ことを特徴とする請求項１〜請求項３のいずれかに記載の空気調和機。
【請求項５】
前記フックは、スナップフックである
ことを特徴とする請求項４記載の空気調和機。
【請求項６】
前記本体は、その側面を覆うサイドパネルを有し、
前記サイドカバーは、前記サイドパネルに前記係合又は前記ネジ止めされ、かつ、前記紐によって前記サイドパネルに接続された
ことを特徴とする請求項１〜請求項５のいずれかに記載の空気調和機。
【発明の詳細な説明】
【技術分野】
【０００１】
本発明は、空気調和機に関し、特にそのサイドカバーの落下防止構造に関するものである。
【背景技術】
【０００２】
従来の天吊形等の空気調和機は、吸込みグリル及び吹出し口を固定するための本体である筐体の一部として側面にサイドカバーを取り付けたものがある（例えば、特許文献１参照）。
【先行技術文献】
【特許文献】
【０００３】
【特許文献１】特開２００６−９０５９３号公報（第５頁、図１０）
【発明の概要】
【発明が解決しようとする課題】
【０００４】
通常、上記のような空気調和機のサイドカバーは爪による係合、及び、ネジ等によって固定されている。しかしながら、中華料理店又は焼肉店のように油の多い環境の場所に据付された空気調和機は、油によって係合部又はネジ固定部を形成する樹脂等がクレージング破壊を起こし、これによって空気調和機の運転中の振動等によって爪部による係合が外れる等して、サイドカバーが落下する恐れがあるという問題点があった。
【０００５】
本発明は、上記のような課題を解決するためになされたもので、サイドカバーの係合部又はネジ固定部を形成する樹脂等が油等によってクレージング破壊を起こし、爪部の係合が外れる等しても、サイドカバーの落下を防止することができる空気調和機を得ることを目的とする。
【課題を解決するための手段】
【０００６】
本発明に係る空気調和機は、本体と、該本体の両側面を覆うサイドカバーと、前記本体と前記サイドカバーを接続する紐と、を備え、前記本体及び前記サイドカバーは、互いに係合爪を有することによって互いに係合されること、又は、互いにネジ止め部を有することによって互いにネジ止めされることのうち、少なくとも一方の方法によって固定されたことを特徴とする。
【発明の効果】
【０００７】
本発明によれば、少なくとも、係合爪による係合、又は、ネジ止め部によるネジ止めによって、サイドカバーが本体と固定され、サイドカバーが落下するのが抑止され、さらに、紐によってサイドカバーと本体とが接続される構成によって、上記の係合部位や、ネジ止めされた部位が、外部環境に存在する油等によってクレージング破壊が発生して、サイドカバーと本体との固定機能が失われたとしても、本体からサイドカバーが落下してしまうことを防止することができ、安全性を向上させることができる。
【図面の簡単な説明】
【０００８】
【図１】本発明の実施の形態１に係る空気調和機の全体斜視図である。
【図２】本発明の実施の形態１に係る空気調和機において、本体１０における吸込みグリル４を含んだ下面部を除いて本体１０の内部を示した図である。
【図３】本発明の実施の形態１に係る空気調和機におけるサイドカバー１の斜視図である。
【図４】本発明の実施の形態１に係る空気調和機におけるサイドパネル２の斜視図である。
【図５】本発明の実施の形態１に係る空気調和機におけるサイドカバー１にサイドパネル２が固定された状態を示す図である。
【図６】本発明の実施の形態１に係る空気調和機におけるサイドカバー１にサイドパネル２が固定された状態の上方向斜視図である。
【図７】図５の領域Ａの拡大図である。
【図８】図６の領域Ｂの拡大図である。
【図９】本発明の実施の形態１に係る空気調和機におけるサイドカバー１の落下を防止するために用いる紐３を示す図である。
【発明を実施するための形態】
【０００９】
実施の形態１．
（空気調和機の全体構成）
図１は、本発明の実施の形態１に係る空気調和機の全体斜視図であり、図２は、同空気調和機において、本体１０における吸込みグリル４を含んだ下面部を除いて本体１０の内部を示した図である。
図１及び図２で示されるように、本実施の形態に係る空気調和機は、本体１０の左右側面にそれぞれプラスチック又は樹脂製のサイドカバー１が取り付けられ、本体１０の下面に空気を吸い込む吸込みグリル４が形成され、本体１０の前面に室内熱交換器（図示せず）によって加熱された暖気又は冷却された冷気を吹き出す吹出し口５が形成され、そして、本体１０の後面には後面板７が設置されている。
【００１０】
また、図２で示されるように、サイドカバー１の内側には、本体１０の筐体の一部であるサイドパネル２が設置されており、サイドカバー１の下部内側のフランジ部に形成されたネジ固定部１ａが、後述するサイドパネル２の下部に形成されたサイドパネルネジ固定部２ｂと重ね合った状態でネジ６によって固定されている。このサイドカバー１とサイドパネル２とのその他の固定方式については、図５〜図９において後述する。
【００１１】
なお、図１で示される空気調和機は、本体１０の上面が天井等に固定される天吊形の空気調和機を示しているが、これに限定されるものではなく、通常の壁掛形等の空気調和機でもよい。
【００１２】
（空気調和機のサイドカバーの落下防止構造）
図３は、本発明の実施の形態１に係る空気調和機におけるサイドカバー１の斜視図であり、そして、図４は、同空気調和機におけるサイドパネル２の斜視図である。
【００１３】
図３で示されるように、サイドカバー１の下部内側のフランジ部には、サイドパネル２とネジ固定するためのネジ固定部１ａが形成され、また、同フランジ部には、サイドカバー１がサイドパネル２から落下するのを防止するために後述する紐３を取り付けるための２つの穴によって構成される紐固定穴１ｂが形成されている。また、サイドカバー１の下部内側のフランジ部の後部には下面後側爪部１ｃが形成されており、この下面後側爪部１ｃには、後面板７が係合される。そして、サイドカバー１の内面の上側後部には上面爪部１ｄ、そして、同フランジ部の前部には下面前側爪部１ｅが形成されており、これらによって、サイドパネル２がサイドカバー１に係合されて固定される。この係合の態様については図５〜図８において後述する。
なお、紐固定穴１ｂは２つの穴によって形成されるものとしたが、これに限定されるものではなく、その他の数の穴によって形成されるものとしてもよい。
【００１４】
図４で示されるように、サイドパネル２の吸込みグリル４寄りで、かつ、水平方向の中央部近傍には、後述する紐３の引掛け部３ａを引掛けるための紐引掛け用穴２ａ、そして、サイドパネル２の下部にはサイドカバー１のネジ固定部１ａと重ね合わせてネジ６によって固定されるサイドパネルネジ固定部２ｂが形成されている。また、サイドパネル２の内面の上側後部にはサイドカバー１の上面爪部１ｄが係合される爪係合用穴２ｄ、そして、サイドパネル２の下側前部にはサイドカバー１の下面前側爪部１ｅが係合される爪引掛け部２ｅが形成されている。これらの係合の態様については図５〜図８において後述する。
【００１５】
図５は、本発明の実施の形態１に係る空気調和機におけるサイドカバー１にサイドパネル２が固定された状態を示す図であり、図６は、同空気調和機のサイドカバー１にサイドパネル２が固定された状態の上方斜視図であり、図７は、図５の領域Ａの拡大図であり、図８は、図６の領域Ｂの拡大図であり、そして、図９は、同空気調和機におけるサイドカバー１の落下を防止するために用いる紐３を示す図である。以下、図５〜図９を参照しながら、サイドカバー１がサイドパネル２に固定される構成について説明する。
【００１６】
まず、サイドカバー１とサイドパネル２とを略平行にして、サイドカバー１の上面爪部１ｄを、サイドパネル２の爪係合用穴２ｄに挿通させる。そして、サイドパネル２を前面方向にスライドさせることによって、図８で示されるように下面前側爪部１ｅが爪引掛け部２ｅに係止され、さらに、上面爪部１ｄが爪係合用穴２ｄの後側縁部に係止される。このとき、図７で示されるようにサイドカバー１の下面後側爪部１ｃの上面部にサイドパネル２が係止される。この状態になると、前述のように、サイドカバー１のネジ固定部１ａと、サイドパネル２のサイドパネルネジ固定部２ｂとが重なり合った状態になり、図５で示されるように、ネジ６によって互いに固定する。
【００１７】
さらに、サイドカバー１の紐固定穴１ｂには、図６で示されるポリエステル等で成形された紐３の一端が挿通して固定されている。そして、この紐３の他端は、金属によって形成された環状のスナップフックである引掛け部３ａに結び付けられている。この引掛け部３ａを、サイドパネル２の紐引掛け用穴２ａに挿通させて引掛ける。このとき、引掛け部３ａは、紐３の一端が固定された紐固定穴１ｂよりも上方の位置で、サイドパネル２の紐引掛け用穴２ａに引掛けられている。
【００１８】
また、本実施の形態に係る空気調和機の製品組立時に、据付時とは本体１０を上下反対に組み立てをすることによって、紐引掛け用穴２ａは、サイドパネル２の中央上側に位置することになり、サイドカバー１の取り付けの作業性がよくなる。
【００１９】
（実施の形態１の効果）
以上の構成のように、上面爪部１ｄ及び爪係合用穴２ｄ、並びに、下面前側爪部１ｅ及び爪引掛け部２ｅがそれぞれ係合され、さらに、ネジ固定部１ａとサイドパネルネジ固定部２ｂとがネジ６によって固定されることによって、サイドカバー１がサイドパネル２に固定され、サイドカバー１が落下するのが抑制される。さらに、紐３の一端をサイドカバー１の紐固定穴１ｂに固定し、他端に結び付けられた引掛け部３ａのフックをサイドパネル２の紐引掛け用穴２ａに引掛ける構成によって、上記の係合部位や、ネジ止めされた部位が、外部環境に存在する油等によってクレージング破壊が発生して、サイドカバー１とサイドパネル２との固定機能が失われたとしても、本体１０からサイドカバー１が落下してしまうことを防止することができる。以上のように、サイドカバー１とサイドパネル２との固定について、上記のように係合構造、ネジ止め構造、及び紐３による固定構造の３つのサイドカバー１の落下防止構造によって、より確実にサイドカバー１の落下を防止することができ、安全性を向上させることができる。
【００２０】
また、紐３の引掛け部３ａをスナップフックとすることによって、紐引掛け用穴２ａへの固定作業も容易となり、また、より確実にサイドカバー１の落下を防止することができる。
【００２１】
また、紐３による固定構造によって、本体１０のメンテナンス作業等によってサイドカバー１を取り外す場合、誤ってサイドカバー１を落下させてしまうことも防止することが可能となる。
【００２２】
さらに、紐引掛け用穴２ａをサイドパネル２の長手方向の中央部近傍に形成することによって、前述のクレージング破壊によってサイドカバー１が落下はせずとも、下方に移動する場合において、その振り幅を小さくすることができるので、本体１０も据付部近傍の壁面等に傷を付けてしまうことを抑制することができる。
【００２３】
なお、図５及び図６で示されるように、サイドカバー１及びサイドパネル２は、サイドカバー１の下部内側のフランジ部のネジ固定部１ａ、及び、サイドパネル２の下部に形成されたサイドパネルネジ固定部２ｂのネジ止めによって固定されているが、この部分におけるネジ止めに限定されるものではなく、その他の場所においてネジ止めするものとしてもよく、また、複数個所においてネジ止めするものとしてもよい。
また、同様に、図５及び図６で示されるように、サイドカバー１及びサイドパネル２は、サイドカバー１の内面の上側後部には上面爪部１ｄ、及び、サイドパネル２の内面の上側後部に形成された爪係合用穴２ｄによって係合され、そして、サイドカバー１の下部内側のフランジ部の前部に形成された下面前側爪部１ｅ、及び、サイドパネル２の下側前部に形成された爪引掛け部２ｅによって係合されているが、これらの部分における係合に限定されるものではなく、その他の場所において係合部位を形成して係合するものとしてもよく、また、２箇所に限らずその他の数の係合部位を有するものとしてもよい。
【００２４】
また、紐３は、サイドパネル２の紐引掛け用穴２ａに引掛けるための引掛け部３ａを備えるものとしているが、これに限定されるものではなく、引掛け部３ａを備えず、紐３の一端をそのまま紐引掛け用穴２ａに取り付けるものとしてもよい。これによっても、前述の落下防止に寄与することができる。
【００２５】
さらに、図５及び図６においては、サイドカバー１はサイドパネル２に固定される構成を示したが、これに限定されるものではなく、本体１０の筐体自体に、サイドパネル２の紐引掛け用穴２ａ、サイドパネルネジ固定部２ｂ、爪係合用穴２ｄ又は爪引掛け部２ｅに相当する構造を備え、本体１０の側面にサイドカバー１が固定されるものとしてもよい。
【符号の説明】
【００２６】
１  サイドカバー、１ａ  ネジ固定部、１ｂ  紐固定穴、１ｃ  下面後側爪部、１ｄ  上面爪部、１ｅ  下面前側爪部、２  サイドパネル、２ａ  紐引掛け用穴、２ｂ  サイドパネルネジ固定部、２ｄ  爪係合用穴、２ｅ  爪引掛け部、３  紐、３ａ  引掛け部、４  吸込みグリル、５  吹出し口、６  ネジ、７  後面板、１０  本体。
【図１】
2011247474.tif 000003
【図２】
2011247474.tif 000004
【図３】
2011247474.tif 000005
【図４】
2011247474.tif 000006
【図５】
2011247474.tif 000007
【図６】
2011247474.tif 000008
【図７】
2011247474.tif 000009
【図８】
2011247474.tif 000010
【図９】
2011247474.tif 000011